(57)【要約】【課題】例えば、電車、バス、船舶等の公共交通機関の構成部材（例えば、吊革を構成するパイプ若しくは荷棚を構成するパイプ）、あるいは駅舎、ショッピングモール、ホテル、映画館等の公共施設の構成部材に取り外し可能に吊下げて取り付けられ、利用者（乗客）が持ち帰る動機付けとなる要素を備えることにより、利用者（乗客）が広告物を持ち帰る可能性を高め、これにより広告効果をより向上させることができ、より簡易な構成であらゆる対象に取付け可能な広告物を提供すること。【解決手段】公共交通機関又は公共施設の構成部材を取付対象とする広告物であって、広告内容を表示する広告部と、該広告部を前記取付対象に取り外し可能に吊下げて取り付けるための取付部と、利用者が広告物を持ち帰る動機付けとなる持ち帰り動機付要素とを備えてなることを特徴とする公共交通機関又は公共施設用広告物とする。【選択図】図１
2015127747.tif 000002
【特許請求の範囲】
【請求項１】
公共交通機関又は公共施設の構成部材を取付対象とする広告物であって、
広告内容を表示する広告部と、該広告部を前記取付対象に取り外し可能に吊下げて取り付けるための取付部と、利用者が広告物を持ち帰る動機付けとなる持ち帰り動機付要素とを備えてなることを特徴とする公共交通機関又は公共施設用広告物。
【請求項２】
前記取付部が、前記広告部に形成されたパイプ挿入穴と、該パイプ挿入穴から該広告部の側縁部に延びる切込み部とからなることを特徴とする請求項１記載の公共交通機関又は公共施設用広告物。
【請求項３】
前記取付部と前記広告部とが別体に形成され、
前記取付部は、取付部本体と、前記取付部本体に形成されたパイプ挿入穴と、該パイプ挿入穴から該取付部本体の側縁部に延びる切込み部と、前記広告部を縦方向に挿入固定するための受入部とを有し、
前記広告部が、該広告部を前記取付部の前記受入部に挿入固定するための挿入部を有し、
前記受入部は、横方向に延びる二本の切込み線が縦方向に間隔をおいて前記取付部本体に形成されてなり、
前記挿入部は、該挿入部の両側部に、挿入方向に間隔をおいて連続的に設けられた凸部からなる係止部を有し、これにより前記広告部の高さ調節が可能であることを特徴とする請求項１記載の公共交通機関又は公共施設用広告物。
【請求項４】
前記取付部が縦方向に延びる形状記憶ワイヤを備えていることを特徴とする請求項１記載の公共交通機関の車内用広告物。
【請求項５】
前記取付部が磁石を備えていることを特徴とする請求項１記載の公共交通機関又は公共施設用広告物。
【請求項６】
前記持ち帰り動機付要素が、広告主若しくはウェブサイトにアクセスし、番号、文字列、コードあるいはその組み合わせからなるゲーム進行手段を入力することにより進行することができるゲームの要素を有し、
前記ゲーム進行手段は、広告掲載場所によって異なることを特徴とする請求項１乃至５いずれかに記載の公共交通機関又は公共施設用広告物。
【請求項７】
前記持ち帰り動機付要素が、スタンプを集めることにより特典を得ることができるスタンプラリーの要素を有し、
前記スタンプは、広告掲載場所によって異なることを特徴とする請求項１乃至５いずれかに記載の公共交通機関又は公共施設用広告物。
【請求項８】
前記持ち帰り動機付要素が、広告主への訪問時あるいは広告物の購入時に割引やサービスを受けることができるクーポンであることを特徴とする請求項１乃至５いずれかに記載の公共交通機関又は公共施設用広告物。
【請求項９】
前記持ち帰り動機付要素が、利用者と広告主との双方間の情報提供並びに利用者間のソーシャルネットワークツールでの情報交換を可能とするＱＲコード（登録商標）、ＵＲＬ、画像認識等のデータ取り込み要素であることを特徴とする請求項１乃至５いずれかに記載の公共交通機関又は公共施設用広告物。
【請求項１０】
前記持ち帰り動機付要素が、太陽電池とＬＥＤとを備えてなることを特徴とする請求項１乃至５いずれかに記載の公共交通機関又は公共施設用広告物。
【発明の詳細な説明】
【技術分野】
【０００１】
本発明は、例えば、電車、バス、船舶等の公共交通機関、あるいは駅舎、ショッピングモール、ホテル、映画館等の公共施設における広告物に関し、詳しくは、公共交通機関又は公共施設の構成部材に取り外し可能に吊下げて取り付けられ、利用者（乗客）が持ち帰りを可能とすることで広告効果を向上させることができる公共交通機関又は公共施設用広告物に関するものである。
【背景技術】
【０００２】
従来、電車やバス等の車内で広告を行う場合、通常、商品、イベント案内といった広告内容を印刷表示したポスターを車内の壁面に保持具を用いて挟み込んだり、吊下具で天井から吊り下げるようにしている。
【０００３】
しかし、ポスターを吊下具で天井から吊り下げる場合、ポスターは車内のほぼ中央で高く配置されているため、乗客は広告を見るために普段の目線よりも高い位置をわざわざ見上げる必要がある。よって、特に興味が薄い広告は乗客に見てもらえない可能性が高いという問題があった。
【０００４】
また、乗客は車内で広告物を見たとしても、車両から降りた後には広告を目にすることがなくなるため、広告内容を忘れてしまい、よって、広告効果が低いという問題があった。したがって、さらに広告効果を向上させることができる広告物が望まれている。
【０００５】
特許文献１には、車内の吊革取付パイプ若しくは荷棚を構成するパイプに吊り下げるための取付具を備えた広告物が記載されている。特許文献１には、乗客が持ち帰ることができるため、広告物に例えば「ご自由にお取り下さい。」等の表示をしておけば、広告物を見て興味をもった乗客が、パイプから取付部材を取り外して広告物を持ち帰ることもできるので、これにより広告効果が格段に高められることが記載されている。
【０００６】
しかし、乗客が広告内容に興味がない場合あるいは興味が薄い場合には、乗客はわざわざ広告物を持ち帰ろうとはしない。さらには、乗客が広告物を持ち帰ったとしても、広告内容を確認した後は捨てられてしまうので、それ以後広告内容を目にすることはなく、広告効果がそれほど向上することはないという問題がある。
また、特許文献１記載の広告物は、把持部材が固定される場所にしか取り付けることができないため、取付け場所が限定されるという問題もあった。
【先行技術文献】
【特許文献】
【０００７】
【特許文献１】実用新案登録第３１０９０３８号公報
【発明の開示】
【発明が解決しようとする課題】
【０００８】
本発明は、例えば、電車、バス、船舶等の公共交通機関の構成部材（例えば、吊革を構成するパイプ若しくは荷棚を構成するパイプ）、あるいは駅舎、ショッピングモール、ホテル、映画館等の公共施設の構成部材に取り外し可能に吊下げて取り付けられ、利用者（乗客）が持ち帰る動機付けとなる要素を備えることにより、利用者（乗客）が広告物を持ち帰る可能性を高め、これにより広告効果をより向上させることができ、より簡易な構成であらゆる対象に取付け可能な広告物を提供するものである。
【課題を解決するための手段】
【０００９】
請求項１に係る発明は、公共交通機関又は公共施設の構成部材を取付対象とする広告物であって、広告内容を表示する広告部と、該広告部を前記取付対象に取り外し可能に吊下げて取り付けるための取付部と、利用者が広告物を持ち帰る動機付けとなる持ち帰り動機付要素とを備えてなることを特徴とする公共交通機関又は公共施設用広告物に関する。
【００１０】
請求項２に係る発明は、前記取付部が、前記広告部に形成されたパイプ挿入穴と、該パイプ挿入穴から該広告部の側縁部に延びる切込み部とからなることを特徴とする請求項１記載の公共交通機関又は公共施設用広告物に関する。
【００１１】
請求項３に係る発明は、前記取付部と前記広告部とが別体に形成され、前記取付部は、取付部本体と、前記取付部本体に形成されたパイプ挿入穴と、該パイプ挿入穴から該取付部本体の側縁部に延びる切込み部と、前記広告部を縦方向に挿入固定するための受入部とを有し、前記広告部が、該広告部を前記取付部の前記受入部に挿入固定するための挿入部を有し、前記受入部は、横方向に延びる二本の切込み線が縦方向に間隔をおいて前記取付部本体に形成されてなり、前記挿入部は、該挿入部の両側部に、挿入方向に間隔をおいて連続的に設けられた凸部からなる係止部を有し、これにより前記広告部の高さ調節が可能であることを特徴とする請求項１記載の公共交通機関又は公共施設用広告物に関する。
【００１２】
請求項４に係る発明は、前記取付部が縦方向に延びる形状記憶ワイヤを備えていることを特徴とする請求項１記載の公共交通機関又は公共施設用広告物に関する。
【００１３】
請求項５に係る発明は、前記取付部が磁石を備えていることを特徴とする請求項１記載の公共交通機関又は公共施設用広告物に関する。
【００１４】
請求項６に係る発明は、前記持ち帰り動機付要素が、広告主若しくはウェブサイトにアクセスし、番号、文字列、コードあるいはその組み合わせからなるゲーム進行手段を入力することにより進行することができるゲームの要素を有し、前記ゲーム進行手段は、広告掲載場所によって異なることを特徴とする請求項１乃至５いずれかに記載の公共交通機関又は公共施設用広告物に関する。
【００１５】
請求項７に係る発明は、前記持ち帰り動機付要素が、スタンプを集めることにより特典を得ることができるスタンプラリーの要素を有し、前記スタンプは、広告掲載場所によって異なることを特徴とする請求項１乃至５いずれかに記載の公共交通機関又は公共施設用広告物に関する。
【００１６】
請求項８に係る発明は、前記持ち帰り動機付要素が、広告主への訪問時あるいは広告物の購入時に割引やサービスを受けることができるクーポンであることを特徴とする請求項１乃至５いずれかに記載の公共交通機関又は公共施設用広告物に関する。
【００１７】
請求項９に係る発明は、前記持ち帰り動機付要素が、利用者と広告主との双方間の情報提供並びに利用者間のソーシャルネットワークツールでの情報交換を可能とするＱＲコード（登録商標）、ＵＲＬ、画像認識等のデータ取り込み要素であることを特徴とする請求項１乃至５いずれかに記載の公共交通機関又は公共施設用広告物に関する。
【００１８】
請求項１０に係る発明は、前記持ち帰り動機付要素が、太陽電池とＬＥＤとを備えてなることを特徴とする請求項１乃至５いずれかに記載の公共交通機関又は公共施設用広告物に関する。
【発明の効果】
【００１９】
請求項１に係る発明によれば、広告内容を表示する広告部と、該広告部を前記取付対象に取り外し可能に吊下げて取り付けるための取付部と、利用者が広告物を持ち帰る動機付けとなる持ち帰り動機付要素とを備えてなることにより、利用者は、広告物を最初に目にしたときに広告内容に興味が薄い場合でも、持ち帰り動機付要素（例えばクーポン等）によって利用者に広告物を積極的に持ち帰らせることができ、これにより、利用者は家に帰っても広告を目にすることとなるので、広告効果をより高めることができる。
さらに、利用者は広告物を家に持ち帰った後もすぐに捨てることがないので、広告内容が目に触れる時間をより長くすることができ、これにより広告効果を高めることができる。
また、公共交通機関に用いる場合、乗客の目線に近い位置に広告内容が表示されることとなるので、利用者の目に留まりやすいという効果を奏する。さらに、乗車中は広告物が揺れることによる視覚効果を増大することができ、より訴求効果の高い広告物とすることができる。
【００２０】
請求項２に係る発明によれば、取付部が、広告部に形成されたパイプ挿入穴と、該パイプ挿入穴から該広告部の側縁部に延びる切込み部とからなることにより、より簡易な構成であらゆる取付対象に取り外し可能に吊下げて取り付けることができる。
【００２１】
請求項３に係る発明によれば、前記取付部と前記広告部とが別体に形成され、前記取付部は、前記広告部を縦方向に挿入固定するための受入部を有し、前記広告部が、該広告物を前記取付部の前記受入部に挿入固定するための挿入部を有し、前記挿入部は、該挿入部の両側部に、挿入方向に間隔をおいて連続的に設けられた凸部からなる係止部を有することにより、前記広告部の高さを段階的に調節することができる。これにより、広告が利用者の目に留まりやすい位置に広告内容を表示した広告部の高さを調節することができるので、広告効果をより高めることができる。
【００２２】
請求項４に係る発明によれば、取付部が縦方向に延びる形状記憶ワイヤを備えていることにより、取付部を取付対象（パイプ）の形状に沿った形状とすることができ、取付対象（パイプ）に対し簡単に取り外し可能な広告物とすることができる。
【００２３】
請求項５に係る発明によれば、取付部が磁石を備えていることにより、取付対象が金属製である場合、取付対象に近づけるだけで広告物を取付けることができ、且つ取付対象に対し簡単に取り外し可能な広告物とすることができる。
【００２４】
請求項６に係る発明によれば、持ち帰り動機付要素が、広告主若しくはウェブサイトにアクセスし、番号、文字列、コードあるいはその組み合わせからなるゲーム進行手段を入力することにより進行することができるゲームの要素を有し、前記ゲーム進行手段は、広告掲載場所によって異なることにより、利用者がこのゲーム進行手段（番号、文字列、コード）を集めるためにより積極的に広告物を持ち帰るようにすることができ、これにより利用者が広告内容を目にする時間を長くすることができ、広告効果をより高めることができる。
また、利用者が、ゲーム進行手段（番号、文字列、コード）を集めるために、異なる広告掲載場所（例えば、違う路線や違う時間帯の車両）に積極的に赴くようにすることができるので、公共交通機関又は公共施設の利用者数の増加を見込むことができる。
【００２５】
請求項７に係る発明によれば、スタンプを集めることにより特典を得ることができるスタンプラリーの要素を有し、前記スタンプは、広告掲載場所によって異なることにより、利用者がスタンプを集めるためにより積極的に広告物を持ち帰るようにすることができ、これにより広告効果をより高めることができる。
また、利用者が、スタンプを集めるために、異なる広告掲載場所（例えば、違う路線や違う時間帯の車両）に積極的に赴くようにすることができるので、公共交通機関又は公共施設の利用者数を増加させることができる。
【００２６】
請求項８に係る発明によれば、持ち帰り動機付要素が、広告主への訪問時あるいは広告物の購入時に割引やサービスを受けることができるクーポンであることにより、利用者が割引やサービスを受けるために積極的に広告物を持ち帰るようにすることができ、これにより広告効果をより高めることができる。
【００２７】
請求項９に係る発明によれば、持ち帰り動機付要素が、利用者と広告主との双方間の情報提供並びに利用者間のソーシャルネットワークツールでの情報交換を可能とするＱＲコード（登録商標）、ＵＲＬ、画像認識等のデータ取り込み要素であることにより、利用者は広告に関する必要な情報を得ることができ、また広告主は利用者に必要な情報を提供することができ、あるいは利用者間でも必要な情報のやり取りをすることができるので、広告内容についてより詳細な情報を利用者に提供することができる。
【００２８】
請求項１０に係る発明によれば、持ち帰り動機付要素が、太陽電池とＬＥＤとを備えてなることにより、広告物を持ち帰った後も懐中電灯として使用することができるので、利用者に対し積極的に広告物を持ち帰るようにすることができ、これにより広告効果をより高めることができる。
【図面の簡単な説明】
【００２９】
【図１】本発明に係る広告物の正面図であり、（ａ）、（ｂ）、（ｃ）はそれぞれパイプ挿入穴の形状が異なる形態を示す図である。
【図２】（ａ）本発明に係る第２実施形態の広告物の正面図であり、（ｂ）第２実施形態の広告物の取付部の正面図である。
【図３】本発明に係る第３実施形態の広告物の（ａ）正面図、（ｂ）背面図である。
【図４】本発明に係る第４実施形態の広告物の（ａ）正面図、（ｂ）背面図である。
【図５】本発明に係る広告物の取付け状態を示す図である。
【発明を実施するための形態】
【００３０】
以下、本発明に係る広告物について図面を参照しながら説明する。
【００３１】
本発明に係る広告物（１００）は、公共交通機関又は公共施設の構成部材を取付対象とする公共交通機関又は公共施設用広告物である。本発明に係る広告物（１００）は、公共交通機関の車内の吊革取付パイプ若しくは荷棚を構成するパイプを主な取付対象とするものであるが、これに限定されるものではなく、公共交通機関又は公共施設の棒状（パイプ状）の構成部材であれば、あらゆる場所に取付け可能である。
図５は、本発明に係る広告物（１００）の取付け状態を示す図である。図５に示すように、広告物（１００）は、例えば、公共交通機関の車内の吊革取付パイプ（Ｐ）若しくは荷棚を構成するパイプ（Ｐ）に取り外し可能に吊下げて取り付けられる。
【００３２】
本発明の広告物（１００）を取り付ける公共交通機関としては、鉄道・軌道、自動車、タクシー、航空路線、船舶、あるいは新たな交通モードが挙げられる。
鉄道・軌道としては、地下鉄、モノレール、路面電車、新交通システム、トロリーバス、ロープウェイ、ケーブルカー等が挙げられる。
自動車としては、コミュニティバスや高速バス等の路線バスが挙げられる。
タクシーとしては、乗合タクシー等が挙げられる。
航空路線としては、国内線及び国際線の航空機等が挙げられる。
船舶としては、フェリー、離島や対岸への定期路線としての旅客船、渡し船等が挙げられる。
新たな交通モードとしては、ＩＭＴＳ、ＤＭＶ、ＢＲＴ、連節バス、ＬＲＴ等が挙げられる。
本発明の広告物（１００）を取り付ける公共施設としては、駅舎、ショッピングモール、ホテル、映画館、病院、遊園地、学校等が挙げられるが、これらに限定されず、あらゆる公共施設で用いることができる。
【００３３】
図１は、本発明に係る広告物の正面図であり、（ａ）、（ｂ）、（ｃ）はそれぞれパイプ挿入穴の形状が異なる形態を示す図である。
図１（ａ）乃至（ｃ）に示す広告物（１００）は、広告を表示する広告部（１）と、広告部（１）を取付対象に取り外し可能に吊下げて取り付けるための取付部（２）とを備えている。
【００３４】
取付部（２）は、広告部（１）に形成されたパイプ挿入穴（２１）と、パイプ挿入穴（２１）から広告部（１）の側縁部（１４）に延びる切込み部（２２）とからなる。
パイプ挿入穴の形状は、図１（ａ）に示す如く、パイプ形状に合わせて円形とすることができるが、パイプに取り付けることができる形状であればこれに限定されず、図１（ｂ）に示す如く四角形であってもよいし、図１（ｃ）に示す如く星形であってもよい。
切込み部（２２）は、図１に示すように線状に形成されていてもよく、あるいは取り付けた際にパイプから脱落しない程度に開口していてもよい。
広告物（１００）をパイプに取り付ける際は、切込み部（２２）の部分をパイプに押し当てることで切込み部（２２）が開き、これによりパイプに広告物（１００）を吊り下げて取り付けることができる。パイプから広告物（１００）を取り外す際には、切込み部（２２）の反対方向に広告物（１００）を引っ張ることにより切込み部（２２）が開き、これによりパイプから広告物（１００）を取り外すことができる。
【００３５】
本発明の広告物（１００）は、利用者が広告物（１００）を持ち帰る動機付けとなる持ち帰り動機付要素を備えている。持ち帰り動機付要素とは、利用者が広告物に興味を引かれること以外にも広告物を家に持ち帰りたくなるように仕向けることができる要素のことをいう。
【００３６】
以下、持ち帰り動機付要素について、具体的な例を挙げて説明する。
【００３７】
持ち帰り動機付要素の第１の例として、広告主若しくはウェブサイトにアクセスし、番号、文字列、コードあるいはその組み合わせからなるゲーム進行手段を入力することにより進行することができるゲームの要素を有するものが挙げられる。このようなゲームとしては、トレジャーハンティング、宝探しゲーム、謎解きゲーム、脱出ゲーム、クロスワードゲーム等を挙げることができ、ゲームをクリアすると、商品やクーポンなどが当選する仕組みとする。
広告物（１００）の広告部（１）には、ゲームに用いるゲーム進行手段（番号、文字列、コード）を記載しておくことで、利用者は積極的に広告物を持ち帰るようになる。これにより、利用者は家でも広告内容を見ることとなるので広告を目にする時間が増え、結果として広告効果を向上させることができる。また、利用者は、ゲーム進行手段（番号、文字列、コード）を集めることが公共交通機関又は公共施設の利用（乗車）目的となり、これにより、利用者（乗客）数の増加が見込め、広告主だけでなく公共交通機関又は公共施設にとっても利益のある広告物とすることができる。
ゲーム進行手段（番号、文字列、コード）は、広告掲載場所によって異なるものとし、例えば、路線及び／又は車両（あるいは走行する時間帯）によって異なるものとする。これにより、利用者（乗客）が異なる広告掲載場所（例えば、違う路線や違う時間帯の車両）に積極的に赴く動機付けとなり、広告効果をより高めることができるだけでなく、利用者（乗客）数の増加が見込め、公共交通機関又は公共施設にとってもより利益のある広告物とすることができる。
【００３８】
持ち帰り動機付要素の第２の例として、スタンプを集め特典を得ることができるスタンプラリーの要素を備えるものが挙げられる。スタンプラリーは、イベントや旅行などの広告主もしくは他の主催者に誘導されながらスタンプを集め最終目的地で広告主もしくは主催者から表彰や参加賞、商品などの特典が与えられる仕組みを有するものである。
これにより、利用者に広告物を積極的に持ち帰らせることができ、広告効果を向上させることができる。また、利用者はスタンプを集めることが公共交通機関又は公共施設の利用（乗車）目的となり、利用（乗車）回数が増えるので、公共交通機関又は公共施設にとってもより利益のある広告物とすることができる。
【００３９】
持ち帰り動機付要素の第３の例として、広告主への訪問時あるいは広告物の購入時に割引やサービスを受けることができるクーポンが挙げられる。これにより、利用者が割引やサービスを受けるために積極的に広告物を持ち帰るようにすることができ、広告効果をより高めることができる。そして、これにより、広告主にとって新規顧客を開拓することができる。
【００４０】
持ち帰り動機付要素の第４の例として、利用者と広告主との双方間の情報提供並びに利用者間のソーシャルネットワークツールでの情報交換を可能とするＱＲコード（登録商標）、ＵＲＬ、画像認識等のデータ取り込み要素が挙げられる。これにより、利用者が割引やサービスを受けるために積極的に広告物を持ち帰るようにすることができ、広告効果をより高めることができる。
【００４１】
持ち帰り動機付要素の第５の例として、太陽電池とＬＥＤとを備えてなるものが挙げられ、懐中電灯として使用することができる。これにより、利用者が積極的に広告物を持ち帰るようにすることができ、広告効果をより高めることができる。また、家に広告物を持ち帰った後も広告物を捨てずに長期間使用することができるので、利用者が広告内容を目にする時間を増加させ、これにより広告効果をより高めることができる。
【００４２】
その他の持ち帰り動機付要素の例として、料理のレシピを挙げることができる。これにより特に女性を中心に料理好きな利用者への訴求効果の高い広告物とすることができる。
【００４３】
その他の持ち帰り動機付要素の例として、３Ｄ映画や３Ｄテレビなどに対応できる３Ｄメガネを挙げることができる。これにより、本発明の広告物を使用して映画館や自宅の３Ｄシネマを視ることができる。
【００４４】
その他の持ち帰り動機付要素の例として、空欄部もしくは数枚のメモパッドを付けてもよく、これにより、広告物を持ち帰り、メモ用紙代わりに使用することができる。
【００４５】
その他の持ち帰り動機付要素の例として、広告部（１）の形状をクリップの形としてもよく、これにより、広告物を用いて書類などをまとめることができる。
【００４６】
その他の持ち帰り動機付要素の例として、本のしおりや付箋として使用できるようにしてもよい。
【００４７】
その他の持ち帰り動機付要素の例として、ショップカードとして使用できる形状及び要素を備えていてもよい。広告部（１）に会員番号を記載し、各広告主のウェブサイトにて個人情報などを登録して使用することができるようにすることができる。
【００４８】
その他の持ち帰り動機付要素の例として、応募券の要素を備えたものとしてもよい。郵便切手を貼りつけることでそのまま郵便物となり、容易に応募や参加などの伝達をするこことができる。
【００４９】
その他の持ち帰り動機付要素の例として、スクラッチ式のくじとしてもよい。
【００５０】
以下、本発明の他の実施形態について説明する。
図２は、（ａ）本発明に係る第２実施形態の広告物の正面図であり、（ｂ）第２実施形態の広告物の取付部の正面図である。
本発明の広告物（２００）は、取付部（２）と広告部（１）とが別体に形成されている。
取付部（２）は、取付部本体（２３）と、取付部本体（２３）に形成されたパイプ挿入穴（２１）と、パイプ挿入穴（２１）から取付部本体（２３）の側縁部（２４）に延びる切込み部（２２）とを有している。これにより、取付対象（パイプ）に取り外し可能に吊下げて取り付けることができる。
【００５１】
本発明の広告物（２００）は、さらに、広告部（１）を縦方向に挿入固定するための受入部（２５）を有している。受入部（２５）は、横方向に延びる二本の切込み線（２６ａ、２６ｂ）が縦方向に間隔をおいて取付部本体（２３）に形成されてなる。
【００５２】
広告部（１）は、この広告部（１）を取付部（２）の受入部（２５）に挿入固定するための挿入部（１１）を有している。挿入部（１１）は、挿入部（１１）の両側部に、挿入方向（図２の矢印方向）に間隔をおいて連続的に設けられた凸部（１２ａ）からなる係止部（１２）を有している。これにより広告部（１）の高さを段階的に調節することが可能である。よって、広告が利用者（乗客）の目に留まりやすい位置に広告部（１）の高さを細かく調節することができるので、広告効果をより高めることができる。
凸部（１２ａ）は、図示の如く、挿入方向に向かうに従い幅が狭くなるように形成されていることが好ましく、これにより高さ調節を容易に行うことができる。
【００５３】
図３は、本発明に係る第３実施形態の広告物の（ａ）正面図、（ｂ）背面図である。
本発明の広告物（３００）は、取付部（２）に縦方向に延びる形状記憶ワイヤ（２７）を備えている。これにより、取付部を取付対象（パイプ）の形状に沿った形状に曲げることができ、取付対象（パイプ）に対し簡単に取り外し可能に吊下げることができる。
形状記憶ワイヤ（２７）は、図示の如く２本とすることができるが、これに限定されず、１本であってもよく、３本以上であってもよい。
広告物（３００）には、取付部（２）と広告部（１）との境界線付近に横方向に延びる折れ線（３ａ）と、折れ線（３ａ）の一端から斜め上方向に延びる折れ線（３ｂ）が形成されていてもよい。折れ線（３ｂ）に沿って完全に折り曲げた後、折れ線（３ａ）に沿って約９０℃まで折り曲げることにより、広告部（１）を横向きにすることができ、これにより狭い間隔でより多くの広告物を配置することができる。
【００５４】
図４は、本発明に係る第４実施形態の広告物の（ａ）正面図、（ｂ）背面図である。
本発明の広告物（４００）は、取付部（２）に磁石（２８）を備えている。磁石（２８）を備えていることにより、取付対象が金属製（のパイプ）である場合、単にパイプに近づけるだけで広告物を取付けることができ、且つパイプに対し簡単に取り外し可能な広告物とすることができる。
広告物（４００）には、広告物（３００）と同様に折れ線（３ａ）と折れ線（３ｂ）が形成されていてもよく、これにより狭い間隔でより多くの広告物を配置することができる。
【００５５】
上記のように取付部（２）を構成することにより、より容易に乗客が広告物を取付対象（パイプ）から取り外して持ち帰ることができ、また広告を取り付ける際には容易に取付対象（パイプ）に吊下げて取り付けることができる。
【００５６】
本発明の広告物（１００、２００、３００、４００）は、広告部（１）にミシン目を設けて、特に宣伝したい部分のみを切り離して持ち帰ることができるようにしてもよい。
【００５７】
本発明の広告物（１００、２００、３００、４００）は、広告物（１）に光触媒コーティングを施すことができる。これにより、車内又は室内の空気を環境浄化させることができる。
【００５８】
本発明の広告物（１００、２００、３００、４００）は、広告物（１）に対して、広告商品の形状の模写、パッケージ形状の模写をすることができ、これにより商品のイメージを鮮明に利用者に与えることができる。
【００５９】
本発明の広告物（１００、２００、３００、４００）は、各企業間での連携広告を行うことができる。広告物（１）の表裏に連携する２以上の企業の広告を表示することにより、より高い訴求効果を得ることができる。
【産業上の利用可能性】
【００６０】
本発明は、例えば、電車、バス、船舶などの公共交通機関、あるいは駅舎、ショッピングモール、ホテル、映画館等の公共施設で用いられる広告物として好適に利用されるものである。
【符号の説明】
【００６１】
１        広告部
１１      挿入部
１２      係止部
１２ａ    凸部
２        取付部
２１      パイプ挿入穴
２２      切込み部
２３      取付部本体
２４      側縁部
２５      受入部
２６ａ、２６ｂ    切込み線
２７    形状記憶ワイヤ
２８    磁石
１００、２００、３００、４００    広告物
【図１】
2015127747.tif 000003
【図２】
2015127747.tif 000004
【図３】
2015127747.tif 000005
【図４】
2015127747.tif 000006
【図５】
2015127747.tif 000007